(57)【要約】      （修正有）【課題】不特定多数の者が使用するトイレの洋式便器であっても、清潔に使用することができる上に、排泄物による便器の汚れ、排泄物による飛沫の人・便器への付着を防止すると共に、用便後に排泄物の状態を確認することができる便器汚れ防止具を提供する。【解決手段】開示の便器汚れ防止具１００は、便座に腰掛ける人と該便座との間に敷いて使用する便座シート部１１０と、便器内にある水たまり１５０の上方に位置し、該便器内を覆う袋形状の便器保護部１２０とにより便器汚れ防止具を形成する。前記便座シート部の便器内側部分と前記便器保護部の前記袋形状の口部分とが接続され、当該便器汚れ防止具の材料を、水洗便所で流すことができる材料とする。【選択図】図４
0003173023.tif 000002
【実用新案登録請求の範囲】
【請求項１】
便座に腰掛ける人と該便座との間に敷く便座シート部と、
便器内にある水たまりの上方に位置し、該便器内を覆う袋形状の便器保護部と、を有する便器汚れ防止具であって、
前記便座シート部の便器内側部分と前記便器保護部の前記袋形状の口部分とが接続され、
当該便器汚れ防止具の材料が、水洗便所で流すことができる材料であることを特徴とする便器汚れ防止具。
【請求項２】
当該便器汚れ防止具の材料が、可撓性を有し、
折り畳み可能であることを特徴とする請求項１に記載の便器汚れ防止具。
【請求項３】
当該便器汚れ防止具の材料が、紙であることを特徴とする請求項２に記載の便器汚れ防止具。
【考案の詳細な説明】
【技術分野】
【０００１】
排泄物の便器内への付着を防止し、人への排泄物・水などの跳ね返りを防止する技術に関する。
【背景技術】
【０００２】
公共の場所に設置されているトイレの洋式便器は、不特定多数の者が使用するため、直接便座に腰掛けて使用することは衛生的な問題がある場合もある。そういった問題点を解決するために、使い捨ての便座カバーについて種々の提案が存在する。
【０００３】
一方、洋式便器にて用を足す際、人が排泄した尿や便が便器内に付着し便器を汚してしまうこともある。特に、下痢腹等である場合などは、その傾向が強い。他方、人が排泄した尿や便が便器内の水たまりに落ちた際のその飛沫が便座に着座する者に付着すると、不快な気持になると共に、非常に不衛生でもある。そういった問題点を解決するために、例えば、特許文献１に記載されるような技術が提案されている。
【先行技術文献】
【特許文献】
【０００４】
【特許文献１】実登３０６０８６５号公報
【考案の概要】
【考案が解決しようとする課題】
【０００５】
しかしながら、上記文献で提案される器具では便器内の一部分しか覆われないため、便や尿による便器内の汚れを十分に防ぐことができないという問題点があった。
【０００６】
さらに、排泄物の色や軟らかさなどを見て、体調の良し悪しをある程度知ることができるところ、上記の従来技術では、排泄物が便器内の水たまりに落ちてしまうため、排泄物の色や軟らかさなどを見て確認することができないという問題点があった。
【０００７】
そこで本考案では、上記問題点に鑑み、不特定多数の者が使用するトイレの洋式便器であっても、清潔に使用することができる上に、排泄物による便器の汚れ、及び排泄物による飛沫の人・便器への付着を防止すると共に、用便後に排泄物の状態を確認することができる便器汚れ防止具を提案することを目的とする。
【課題を解決するための手段】
【０００８】
開示する便器汚れ防止具の一形態は、便座に腰掛ける人と該便座との間に敷いて使用する便座シート部と、便器内の水たまり上部に配置され、該便器内を覆う袋形状の便器保護部と、を有する便器汚れ防止具であって、前記便座シート部の便器内側部分と前記便器保護部の前記袋形状の口部分とが接続され、当該便器汚れ防止具の材料が、水洗便所で流すことができる材料であることを特徴とする。
また、開示する便器汚れ防止具の一形態は、さらに、前記材料が、柔軟性を備え、折り畳み可能であることを特徴とする。
また、開示する便器汚れ防止具の一形態は、さらに、前記材料が、紙であることを特徴とする。
【考案の効果】
【０００９】
開示する便器汚れ防止具は、不特定多数の者が使用するトイレの洋式便器であっても、清潔に使用することができる上に、排泄物による便器の汚れ、及び排泄物による飛沫の人・便器への付着を防止すると共に、用便後に排泄物の状態を確認することができる。
【図面の簡単な説明】
【００１０】
【図１】本実施の形態に係る便器汚れ防止具の斜視図である。
【図２】本実施の形態に係る便器汚れ防止具（折り畳んだ状態）の側面図である。
【図３】本実施の形態に係る便器汚れ防止具（折り畳んだ状態）の正面図である。
【図４】本実施の形態に係る便器汚れ防止具の使用方法を説明する図である。
【考案を実施するための形態】
【００１１】
図面を参照しながら、本考案を実施するための形態について説明する。
（便器汚れ防止具の構造）
【００１２】
図１乃至図３を用いて、本実施の形態に係る便器汚れ防止具１００の構造について説明する。図１は、開いた状態の便器汚れ防止具１００の斜視図であり、図２は、折り畳んだ状態の便器汚れ防止具１００の側面図であり、図３は、折り畳んだ状態の便器汚れ１００の正面図である。
図１で示すように、便器汚れ防止具１００は、便座シート部１１０、便器保護部１２０を有する。
【００１３】
便座シート部１１０は、便座に腰掛け用を足す人１６０と便座１４０との間に敷く便座シートである。用を足す人１６０の太腿や尻と便座１４０との間で挟むことによって、用を足す人１６０が便器１３０に直接触れることを防止する。また、便座シート部１１０の裏面（便座１４０に接する面）には、滑り止め機構（例えば、シールが貼ってあったり、糊が塗ってあったりする）を備えていても良い。
【００１４】
便器保護部１２０は、便器１３０内にある水たまり１５０の上方に位置し、袋形状をしている部位である。便器保護部１２０が袋形状をしており、便器１３０の内部を覆っているため、便器汚れ防止具１００は、排泄物による便器の汚れ、排泄物による飛沫の人・便器への付着を防止すると共に、用便後に排泄物の状態を確認することができる。
【００１５】
図１で示すように、便座シート部１１０の便器１３０内側部分と便器保護部１２０の袋形状の口部分とが、接続されている。このような構造であるため、便器汚れ防止具１００は、便器保護部１２０の位置を、便器１３０内の水たまり１５０の上方に固定することができる。
【００１６】
また、便座汚れ防止具１００は、使用後、便器１３０の洗浄機能を利用し、排泄物・トイレットペーパーと共に洗い流すことができるように、水洗便所で流すことができる材料で作製される。なお、水洗便所で流すことができる材料とは、水洗便所を詰まらせる恐れが無い材料のことであり、例えば、紙であるが、水洗便所で流すことが許可されていれば、紙に限定されるものではない。
【００１７】
さらに、図２及び図３で示すように、便器汚れ防止具１００の材料が紙のように柔軟性を備えるものである場合、便器汚れ防止具１００は、シート状に薄く折り畳むことができる。このような機能を有することで、便器汚れ防止具１００は、保管時に嵩張らず、移動時にも、鞄などの所持品入れに入れて、持ち歩くことも容易である。その場合、便器汚れ防止具１００の使用時には、図２及び図３で示す折り畳んだ状態から、図１で示す状態に広げて使用する。
（便器汚れ防止具の使用方法）
図４などを用いて、便器汚れ防止具１００の使用方法について説明する。図４は、便器汚れ防止具１００の使用状態・使用方法を説明するための図である。
【００１８】
図４で示すように、ユーザ１６０は、便座シート部１１０を左右に広げると共に、左右に有る便座カバー１４０の上に配置し、その便座シート部１１０上に腰掛ける。その際、便器保護部１２０は、ユーザ１６０の尻の下位置、かつ、便器１３０内の水たまり１５０の上位置に配置される。
【００１９】
ユーザ１６０は、その状態で用を足す。ユーザ１６０の出した排泄物は、全て便器保護部１２０内に収容されるので、必要に応じ、ユーザ１６０は、収容された自分の排泄物の状態について確認する。その後、ユーザ１６０は、便器汚れ防止具１００を、自分の排泄物と共に、便器１３０の洗浄機能を使って洗い流す。
【００２０】
こうすることで、ユーザ１６０は、公共の場に設置されるトイレの洋式便器であっても、清潔に使用することができる上に、排泄物によって便器１３０を汚すことも無く、排泄物による飛沫が人・便器へ付着することも無い。また、ユーザ１６０は、必要に応じ、自分の排泄物の状態を確認することもできる。
（総括）
便器汚れ防止具１００は、シンプルで使い易い構造である。
便器汚れ防止具１００は、使用後、便器１３０の洗浄機能を利用して洗い流すことができる。
【００２１】
便器汚れ防止具１００は、排泄物の便器１３０への付着を防止し、便器１３０周辺への飛沫の付着も防止する。これは、トイレ空間の衛生状態の向上に寄与する。さらには、トイレ空間内での異臭発生源が無くなるため、防臭剤・芳香剤等を設置する必要が無くなり、消費者の支出を抑制すると共に、鼻腔を介した体内への化学物質の取り込みを防止する。
【００２２】
便器汚れ防止具１００は、便器１３０をはじめとするトイレ空間全体を清潔に保たせるため、掃除の手間を軽減させる。そして、便器汚れ防止具１００は、掃除の手間を軽減させるため、家庭内であれば、家事従事者による家事負担を軽減させ、公共のトイレ施設であれば、設置者の清掃コスト削減にも寄与する。
【００２３】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２４】
１００  便器汚れ防止具
１１０  便座シート部
１２０  便器保護部
１３０  便器
１４０  便座カバー
１５０  便器内の水たまり
１６０  便器に座っている（用を足す）人
【図１】
0003173023.tif 000003
【図２】
0003173023.tif 000004
【図３】
0003173023.tif 000005
【図４】
0003173023.tif 000006